(57)【要約】      （修正有）【課題】コネクティング部にラッチを弾性的に備えて、ラッチがトランシーバーに自動的に締結され、コネクターとトランシーバーの結合が容易なコネクターを提供する。【解決手段】トランシーバー１０に選択的に結合されるコネクティング部と、コネクティング部がトランシーバー１０に結合される場合、トランシーバー１０に締結されるラッチと、コネクティング部の外側に位置してラッチとトランシーバー１０の結合を選択的に解除させるラッチ解除部と、コネクティング部の少なくとも一部を収容するハウジングを含み、ハウジングの移動によりラッチ解除部がラッチを加圧する。ハウジングの移動によりラッチを選択的に加圧し、トランシーバーとの結合を容易に分離し、外部ハウジング５００とガイド部４００は互いに合歯するギヤ歯が形成され、ホルダー６００とアダプター１１がネジ結合し外力が作用しない限り分離が防止される。【選択図】図１
2017027932.tif 000002
【特許請求の範囲】
【請求項１】
トランシーバーに選択的に結合するコネクティング部と、
前記コネクティング部が、前記トランシーバーに結合される場合、前記トランシーバーに締結されるラッチと、
前記コネクティング部の外側に位置して、前記ラッチと前記トランシーバーの結合を選択的に解除させるラッチ解除部と、
前記コネクティング部の少なくとも一部を収容するハウジングと、を含み、
前記ハウジングの移動により前記ラッチ解除部が前記ラッチを加圧することを特徴とする、コネクター。
【請求項２】
前記ハウジングは、
前記ラッチ解除部を収容して、前記ラッチ解除部を加圧する内部ハウジングと、
前記内部ハウジングの外側に位置して、前記コネクティング部と前記トランシーバーが結合するように前記コネクティング部を案内するガイド部と、
前記内部ハウジングの外側に位置して内面が前記ガイド部の外面と結合可能な外部ハウジングと、を含むことを特徴とする、請求項１に記載のコネクター。
【請求項３】
前記ラッチ解除部は、
前記コネクティング部と結合される第１ラッチ解除部と、
前記ラッチを押す第２ラッチ解除部と、
一端は前記第１ラッチ解除部の一部で折り曲げ延長されて第２ラッチ解除部を連結する連結部と、を含むことを特徴とする、請求項2に記載のコネクター。
【請求項４】
前記内部ハウジングに一部が収容されて一側が前記ラッチ解除部と結合されるベースをさらに含み、
前記連結部は、前記ベースの外面に沿って折り曲げられて段を形成して、他端が前記ベースと結合して連動されることを特徴とする、請求項3に記載のコネクター。
【請求項５】
前記内部ハウジングは、
前記ラッチ解除部を加圧する第１内部ハウジングと、
前記第１内部ハウジングと長さ方向に結合されて、前記ベースの一部を収容する第２内部ハウジングと、を含むことを特徴とする、請求項4に記載のコネクター。
【請求項６】
前記ラッチは、一端が前記コネクティング部から延長されて、
前記第２ラッチ解除部は、前記ラッチの他端と向かい合う係止部と、外側に第１陥没部と第１突部が形成されて、
前記内部ハウジングの内側には、前記第１陥没部と対応して位置する第２突部と前記第１突部と対応して位置する第２陥没部が形成された押付部を含み、
前記第１突部は、前記第２陥没部に挿入されて、前記第２突部は、前記第１陥没部に挿入されて、前記第１突部と第２突部は接触することを特徴とする、請求項４に記載のコネクター。
【請求項７】
前記第１突部と第２突部は、互い当接する面が前記コネクティング部に向かって傾斜するように形成されることを特徴とする、請求項６に記載のコネクター。
【請求項８】
前記第１内部ハウジングは、内側に突出した第３突部を含み、
前記第３突部は、前記第２ラッチ解除部の第１突部と前記連結部の段との間で移動可能であることを特徴とする、請求項６に記載のコネクター。
【請求項９】
前記ラッチは、長さ方向と垂直するように突出されたラッチ締結突部を含み、
前記トランシーバーは、前記ラッチ締結突部が挿入される締結溝を含み、
前記ラッチが、前記ラッチ解除部によって下方に加圧されると前記ラッチ締結突部が前記締結溝から離脱することを特徴とする、請求項１に記載のコネクター。
【請求項１０】
前記ガイド部は、外周面の少なくとも一部に第１ギア歯が形成されて、
前記外部ハウジングは、内周面の少なくとも一部に前記第１ギア歯と合歯する第２ギア歯が形成されることを特徴とする、請求項２に記載のコネクター。
【請求項１１】
前記ガイド部は、外側に突出した突部が形成されて、
前記ガイド部を囲んで前記トランシーバーのアダプターと結合して、前記突部と前記外部ハウジングとの間でスライディング可能なホルダーをさらに含むことを特徴とする、請求項２に記載のコネクター。
【請求項１２】
前記ベースは、前記コネクティング部と電気的または光信号が伝達されるように連結されるケーブルを囲んで保護して、
前記ベースの外周面とネジ結合することによって前記ケーブルを保護する締結ナットをさらに含むことを特徴とする、請求項4に記載のコネクター。
【請求項１３】
前記ベースと締結ナットを囲んで、前記内部ハウジングのスライディングを防止するストッパーがさらに含まれることを特徴とする、請求項１２に記載のコネクター。
【請求項１４】
前記ベースは、外周面に段が形成されて、
前記内部ハウジングの一側は、前記ラッチ解除部を加圧して、前記内部ハウジングの他則は、前記段と前記ストッパーとの間で移動可能であることを特徴とする、請求項１２に記載のコネクター。
【請求項１５】
前記トランシーバーのアダプターは、外周面に少なくとも一つ以上のアダプター締結突部を含み、
前記ホルダーは、内周面に前記アダプター締結突部が挿入されてスライディング可能なホルダー締結溝を含むことを特徴とする、請求項１１に記載のコネクター。
【請求項１６】
前記トランシーバーのアダプターは、外周面に少なくとも一つ以上のアダプター締結溝を含み、
前記ホルダーは、内周面に前記アダプター締結溝に挿入されてスライディング可能なホルダー締結突部を含むことを特徴とする、請求項１１に記載のコネクター。
【発明の詳細な説明】
【技術分野】
【０００１】
本発明は、コネクターに関し、より詳細にはスクリュー型スライディング構造のコネクターに関する。
【背景技術】
【０００２】
一般にコネクターは、電源と機器、機器と機器、または機器内部単位の間を電気的に連結するためのもので、アダプターと結合する。
【０００３】
大韓民国登録特許第１０−１４５９１１６号は、多角光ケーブル用コネクターを開示している。前記登録特許第１０−１４５９１１６号は、外皮の内部に引張線と光ファイバーを備えて多角形の断面形状を持つ多角光ケーブルの先端に結合するコネクターに関する。
【０００４】
大韓民国登録特許第１０−１４５９１１６号は、
内部に光ファイバーが挿入されるホールが形成されたフェルールと、
前記フェルールの後端に結合されて前記フェルールの後方に延びて、前記多角光ケーブルの先端に露出した引張線と光ファイバーが共に挿入される部分として前記フェルールのホールより大きい径の内部空間を備える鍔と、
前記鍔の外側に巻かれるスプリング、前記鍔と前記スプリングを後端から囲んで、内部に前記スプリングの移動を防ぐ段部が形成されたストッパーと、
前記ストッパーと前記フェルールを先端から囲んで支持して、前記ストッパーに固定されるフレームと、
前記フレームに結合されて前記フレームの外部を囲むハウジングと、を含み、
前記多角光ケーブルの先端で露出した引張線と光ファイバーは、前記鍔の内部空間に挿入された状態で接着剤によって前記鍔の内部に共に固定される。
【０００５】
しかし、前記登録特許第１０−１４５９１１６号は、外部の電子機器のアダプターと結合して電気的に連結された後、コネクターに外力が作用するとアダプターから分離されて接続が簡単に解除される問題点がある。
【先行技術文献】
【特許文献】
【０００６】
【特許文献１】ＫＲ１０−１４５９１１６ Ｂ１
【発明の概要】
【発明が解決しようとする課題】
【０００７】
本発明は、前記の従来の問題点を解決するためのもので、本発明の目的は、コネクティング部にラッチを弾性的に備えて、コネクターが前記トランシーバーに挿入されながら前記ラッチがトランシーバーに自動的に締結されて、コネクターとトランシーバーの結合が容易なコネクターを提供することである。
【０００８】
本発明の他の目的は、コネクターとトランシーバーが結合された場合、ハウジングの移動を通して前記ラッチを加圧することによって、前記ラッチが前記トランシーバーから締結が解除されて、コネクターとトランシーバーの分離が容易なコネクターを提供することである。
【課題を解決するための手段】
【０００９】
前記の本発明の目的を達成するために、本発明の一実施形態に係るコネクターは、トランシーバーに選択的に結合するコネクティング部と、前記コネクティング部が前記トランシーバーに結合される場合、前記トランシーバーに締結されるラッチと、前記コネクティング部の外側に位置して、前記ラッチと前記トランシーバーとの結合を選択的に解除させるラッチ解除部と、前記コネクティング部の少なくとも一部を収容するハウジングと、を含み、前記ハウジングの移動により前記ラッチ解除部が前記ラッチを加圧することができる。
【００１０】
本発明の一実施形態に係るコネクターにおいて、前記ハウジングは、前記ラッチ解除部を収容して、前記ラッチ解除部を加圧する内部ハウジングと、前記内部ハウジングの外側に位置して、前記コネクティング部と前記トランシーバーが結合するように前記コネクティング部を案内するガイド部と、前記内部ハウジングの外側に位置して内面が前記ガイド部の外面と結合可能な外部ハウジングと、を含んでもよい。
【００１１】
本発明の一実施形態に係るコネクターにおいて、前記ラッチ解除部は、前記コネクティング部と結合する第１ラッチ解除部と、前記ラッチを押す第２ラッチ解除部と、一端が前記第１ラッチ解除部の一部で折り曲げ延長されて第２ラッチ解除部を連結する連結部と、を含んでもよい。
【００１２】
本発明の一実施形態に係るコネクターにおいて、前記内部ハウジングに一部が収容されて一側が前記ラッチ解除部と結合するベースをさらに含み、前記連結部は、前記ベースの外面に沿って折り曲げられて段を形成して、他端が前記ベースと結合して連動されてもよい。
【００１３】
本発明の一実施形態に係るコネクターにおいて、前記内部ハウジングは、前記ラッチ解除部を加圧する第１内部ハウジングと、前記第１内部ハウジングと長さ方向に結合されて、前記ベースの一部を収容する第２内部ハウジングと、を含んでもよい。
【００１４】
本発明の一実施形態に係るコネクターにおいて、前記ラッチは、一端が前記コネクティング部から延びて、前記第２ラッチ解除部は、前記ラッチの他端と向き合う係止部と、外側に第１陥没部と第１突部が形成されて、前記内部ハウジングの内側には前記第１陥没部と対応して位置する第２突部と前記第１突部と対応して位置する第２陥没部が形成された押付部を含み、前記第１突部は、第２陥没部に挿入されて、前記第２突部は、第１陥没部に挿入されて、前記第１突部と第２突部は当接してもよい。
【００１５】
本発明の一実施形態に係るコネクターにおいて、前記第１突部と第２突部は、互い当接する面が前記コネクティング部に向かって傾斜するように形成されてもよい。
【００１６】
本発明の一実施形態に係るコネクターにおいて、前記第１内部ハウジングは、内側に突出した第３突部を含み、前記第３突部は、前記第２ラッチ解除部の第１突部と前記連結部の段との間で移動可能であってもよい。
【００１７】
本発明の一実施形態に係るコネクターにおいて、前記ラッチは、長さ方向と垂直するように突出したラッチ締結突部を含み、前記トランシーバーは、前記ラッチ締結突部が挿入される締結溝を含み、前記ラッチが、前記ラッチ解除部によって下方に加圧されると前記ラッチ締結突部が前記締結溝から離脱され得る。
【００１８】
本発明の一実施形態に係るコネクターにおいて、前記ガイド部は、外周面の少なくとも一部に第１ギア歯が形成されて、前記外部ハウジングは、内周面の少なくとも一部に前記第１ギア歯と合歯する第２ギア歯が形成されてもよい。
【００１９】
本発明の一実施形態に係るコネクターにおいて、前記ガイド部は、外側に突出さた突部が形成されて、前記ガイド部を囲んで前記トランシーバーのアダプターと結合して、前記突部と前記外部ハウジングとの間でスライディング可能なホルダーをさらに含んでもよい。
【００２０】
本発明の一実施形態に係るコネクターにおいて、前記ベースは、前記コネクティング部と電気的または光信号が伝達されるように連結されるケーブルを囲んで保護して、前記ベースの外周面とネジ結合することによって前記ケーブルを保護する締結ナットをさらに含んでもよい。
【００２１】
本発明の一実施形態に係るコネクターにおいて、前記ベースと締結ナットを囲んで、前記内部ハウジングのスライディングを防止するストッパーがさらに含まれてもよい。
【００２２】
本発明の一実施形態に係るコネクターにおいて、前記ベースは外周面に段が形成されて、前記内部ハウジングの一側は、前記ラッチ解除部を加圧して、前記内部ハウジングの他則は、前記段と前記ストッパーとの間で移動可能であってもよい。
【００２３】
本発明の一実施形態に係るコネクターにおいて、前記トランシーバーのアダプターは、外周面に少なくとも一つ以上のアダプター締結突部を含み、前記ホルダーは、内周面に前記アダプター締結突部が挿入されてスライディング可能なホルダー締結溝を含んでもよい。
【００２４】
本発明の一実施形態に係るコネクターにおいて、前記トランシーバーのアダプターは、外周面に少なくとも一つ以上のアダプター締結溝を含み、前記ホルダーは、内周面に前記アダプター締結溝に挿入されてスライディング可能なホルダー締結突部を含んでもよい。
【発明の効果】
【００２５】
本発明は、コネクティング部にラッチを備えて、ハウジングの移動により前記ラッチを選択的に加圧するので、トランシーバーとの結合を容易に分離することができる。
【００２６】
また、外部ハウジングとガイド部は、互いに合歯されるギア歯が形成されて、ホルダーとアダプターがネジ結合するので、別途の外力が作用しない限り分離するのを容易に防止することができる。
【図面の簡単な説明】
【００２７】
【図１】本発明の一実施形態に係るコネクターが、トランシーバーに結合された形態を示した斜視図である。
【図２】図１の分解斜視図である。
【図３】図１のＡ−Ａ´の断面図である。
【図４】図１のＢ−Ｂ´の断面図である。
【図５】本発明の一実施形態に係るコネクターのアダプターとホルダーが結合する形態を示した斜視図である。
【図６】本発明の一実施形態に係るコネクターのアダプターとホルダーが結合する形態を示した斜視図である。
【発明を実施するための形態】
【００２８】
以下、本発明の一部実施形態を例示的な図面を通して詳細に説明する。
【００２９】
各図面の構成要素に参照符号を付けるに当たり、同じ構成要素についてはたとえ他の図面上に表示されてもできるだけ同じ符号を持つようにしていることに留意しなければならない。また、本発明の実施形態を説明するに当たり、関連した公示構成または機能に対する具体的な説明が、本発明の実施形態に対する理解を妨げると判断される場合には、その詳細な説明は省略する。
【００３０】
また、本発明の実施形態の構成要素を説明するに当たり、第１、第２、Ａ、Ｂ、（ａ）、（ｂ）等の用語を使用することができる。このような用語は、その構成要素を他の構成要素と区別するだけであって、その用語によって該当構成要素の本質や順番または順序などが限定されない。ある構成要素が他の構成要素に「連結」、「結合」または「接続」されると記載された場合、その構成要素は、前記他の構成要素に直接的に連結されたり接続され得るが、各構成要素の間にさらに他の構成要素が「連結」、「結合」または「接続」され得ると理解されなければならない。
【００３１】
以下、本発明の一実施形態に係るコネクターについて図面を参照して説明する。
【００３２】
図１は、本発明の一実施形態に係るコネクターが、トランシーバーに結合された形態を示した斜視図で、図２は、図１の分解斜視図であり、図３は、図１のＡ−Ａ´での断面図で、図４は、図１のＢ−Ｂ´での断面図である。
【００３３】
本発明の一実施形態に係るコネクターは、トランシーバー１０に結合されてもよい。トランシーバー１０は、ポート（図示せず）と、前記ポートを一部収容してコネクターと締結して固定させるためのアダプター１１を含んでもよい。図面に図示しないが、前記ポートの一部には締結溝が形成されて後述するラッチ１１０のラッチ締結突部１１１が挿入されてもよい。
【００３４】
図１〜図２を参照すると、本発明の一実施形態に係るコネクターは、コネクティング部１００と、ラッチ１１０、ラッチ解除部２００及びハウジング３００、４００、５００を含んでもよい。
【００３５】
コネクティング部１００は、前記トランシーバーのポートにユーザーの選択により結合または分離が可能である。
【００３６】
ラッチ１１０は、コネクティング部１００の外側にコネクティング部１００から延長形成されて弾性を有する。ラッチ１１０は、コネクティング部１００がポートに挿入される方向と垂直に、すなわち幅方向に延びて突出したラッチ締結突部１１１を含んでもよい。コネクティング部１００が、前記ポートに結合される場合、ラッチ締結突部１１１が、前記締結溝に係止することにより外力が作用しない限り、コネクティング部１００が前記ポートから分離しないように係止作用をすることができる。ラッチ締結突部１１１の形成位置は、ある一つに制限しない。本発明の一実施形態で、ラッチ１１０にラッチ締結突部１１１が形成されてポート（図示せず）に締結溝（図示せず）が形成されて、コネクティング部１００とポートが締結されるとして説明する。しかし、製作者の意図によりコネクティング部１００とポートが締結さえすればラッチ締結突部１１１と前記締結溝の形成位置が互いに変わっても構わず、締結手段を特にある一つに限定しない。
【００３７】
図３と図４を参照すると、ラッチ解除部２００は、コネクティング部１００の外側に位置してもよい。ラッチ解除部２００は、コネクティング部１００の一部を収容することができる。ラッチ解除部２００は、第１ラッチ解除部２１０と第２ラッチ解除部２２０及び連結部２３０を含んでもよい。第１ラッチ解除部２１０は、コネクティング部１００と結合して連動してもよい。尚、第２ラッチ解除部２２０はラッチ１１０を押し付けることができる。連結部２３０は、第１ラッチ解除部２１０の一部で折り曲げ延長されて第２ラッチ解除部２２０を連結することができる。連結部２３０は、後述するベース７００の外面に沿ってさらに一回折り曲げられて段２３１を形成してもよい。連結部２３０は、ベース７００と結合して連動してもよい。ラッチ解除部２００は、ユーザーの意図により加圧される外力が作用すると、ラッチ１１０とトランシーバー１０の結合を選択的に解除させる。
【００３８】
第２ラッチ解除部２２０は、係止部２２１と第１陥没部２２２及び第１突部２２３が形成されてもよい。係止部２２１は、第２ラッチ解除部２２０の一端に形成されてもよい。係止部２２１は下方に位置するラッチ１１０の他端が挿入されるようにラッチ１１０またはコネクティング部１００に向かって陥没された溝（符号付けず）が形成されてもよい。すなわち、係止部２２１は、ラッチ１１０の他端を上方に囲むことができる。尚、係止部２２１は、ラッチ１１０の他端に係止することになる。従って、ラッチ解除部２００は、後述するハウジング３００、４００、５００によってラッチ１１０とコネクティング部１００が近づくように加圧されると、それによりラッチ解除部２００は、ラッチ１１０を加圧してラッチ１１０とトランシーバー１０の結合を解除させることができる。本発明の一実施形態で、係止部２２１は、第２ラッチ解除部２２０の一端に位置するが、これは製作者の意図により多様に変更可能である。第１陥没部２２２は、第２ラッチ解除部２２０上で係止部２２１と隣接して外側に陥没して形成されてもよい。第１陥没部２２２は、後述する第２突部３１２が挿入されてもよい。尚、第１突部２２３は、第２ラッチ解除部２２０上で第１陥没部２２２と隣接して外側に突出されて形成されてもよい。第１突部２２３は、後述する第２陥没部３１３に挿入される。
【００３９】
ハウジング３００、４００、５００は、コネクティング部１００の少なくとも一部を収容することができる。ハウジング３００、４００、５００は、移動しながらラッチ解除部２００を加圧してラッチ１１０を加圧することができる。ハウジング３００、４００、５００は、内部ハウジング３００とガイド部４００及び外部ハウジング５００を含んでもよい。
【００４０】
内部ハウジング３００は、ラッチ解除部２００を収容してもよい。内部ハウジング３００は、トランシーバー１０と離れる方向にスライディングすることができる。従って、内部ハウジング３００は、ラッチ解除部２００を加圧することができる。内部ハウジング３００は、第１内部ハウジング３１０と第２内部ハウジング３２０を含んでもよい。
【００４１】
第１内部ハウジング３１０は、ラッチ解除部２００の外側でラッチ解除部２００を加圧する。第１内部ハウジング３１０は、前記で言及したラッチ解除部２００と連動されるように押付部３１１が形成されてもよい。押付部３１１は、第２突部３１２と第２陥没部３１３を含んで形成されてもよい。第２突部３１２は、第２ラッチ解除部２２０の第１陥没部２２２と対応して挿入され得る。第２陥没部３１３は、第２ラッチ解除部２２０の第１突部２２３が対応して挿入され得る。尚、第１突部２２３と第２突部３１２は、互いに当接するように配置されてもよい。また、第１突部２２３と第２突部３１２の当接する面が、コネクティング部１００またはトランシーバー１０に向かって傾斜するように形成されてもよい。
【００４２】
従って、本発明がトランシーバー１０と結合する場合、第１内部ハウジング３１０の第２突部３１２は、第２ラッチ解除部２２０の第１陥没部２２２に収容されてもよい。そして、第２ラッチ解除部２２０の第１突部２２３は、第１内部ハウジング３１０の第２陥没部３１３に収容されてもよい。従って、第１内部ハウジング３１０は、ラッチ解除部２００を加圧しない。しかし、第１突部２２３と第２突部３１２は、互いに傾斜するように当接されている。従って、本実施形態が、トランシーバー１０から結合が解除される場合、本実施形態とトランシーバー１０の分離される方向に第１内部ハウジング３１０が移動することができる。従って、第２突部３１２は、第１突部２２３を加圧することができる。結果的に、第２ラッチ解除部２２０はラッチ１１０の他端を加圧することになる。
【００４３】
第１内部ハウジング３１０は、内側に突出された第３突部３１４をさらに含んでもよい。  第３突部３１４は、第２ラッチ解除部２２０の第１突部２２３と連結部２３０の段２３１との間で移動可能に位置してもよい。
【００４４】
第２内部ハウジング３２０は、第１内部ハウジング３１０と長さ方向に結合されてもよい。第２内部ハウジング３２０は、後述するベース７００の少なくとも一部を収容してもよい。第２内部ハウジング３２０は、ベース７００の外面に沿って移動が可能である。また、第２内部ハウジング３２０は、外側面に突出した段３２１が形成されてもよい。従って、後述するガイド部４００の終端が段３２１に係止してもよい。
【００４５】
ガイド部４００は、内部ハウジング３００の外側に位置してもよい。ガイド部４００は、内部ハウジング３００の少なくとも一部を囲んでもよい。言い換えると、ガイド部４００は、内部ハウジング３００と後述する外部ハウジング５００との間に位置してもよい。尚、ガイド部４００は、本発明の一実施形態に係るコネクターが、トランシーバー１０に結合される際に、コネクティング部１００がポート（図示せず）と結合が容易になるようにガイドする。すなわち、ガイド部４００の一端外側面は、アダプター１１の内側面と接しながら本発明の一実施形態に係るコネクターとトランシーバー１０結合または分離方向に移動可能である。ガイド部４００の他端は、第２内部ハウジング３２０に形成された段３２１に係止する。従って、ガイド部４００が、コネクターとトランシーバー１０の分離方向に移動時、ガイド部４００の終端が、段３２１を押すことができる。尚、第２内部ハウジング３２０も同じ方向にガイド部４００と連動されて移動される。ガイド部４００は、終端外周面に第１ギア歯４１０が形成されてもよい。第１ギア歯４１０は、後述する外部ハウジング５００の第２ギア歯５１０と合歯され得る。
【００４６】
外部ハウジング５００は、内部ハウジング３００の外側に位置してもよい。外部ハウジング５００の内面が、ガイド部４００の外面と結合可能である。すなわち、ガイド部４００の終端一部は、第２内部ハウジング３２０と外部ハウジング５００との間に位置してもよい。この時、外部ハウジング５００は、内周面に第２ギア歯５１０が形成されてもよい。第２ギア歯５１０は、ガイド部４００の第１ギア歯４１０と合歯され得る。従って、外部ハウジング５００に外力が作用しない限り、コネクターとトランシーバー１０の分離を防ぐことができる。外部ハウジング５００は、外面に形成されたすべり防止部５１０をさらに含んでもよい。さらに、外部ハウジング５００の内周面一部には段５３０が内側に突出されてもよい。段５３０は、第２内部ハウジング３２０の終端と対応するように配置されてもよい。
【００４７】
ホルダー６００は、ガイド部４００を囲むことができる。尚、ホルダー６００は、トランシーバー１０のアダプター１１と結合することができる。つまり、アダプター１１の外周面とホルダー６００の内周面は、互いに対応するネジ山（符号付けず）が、各々形成されてネジ結合することができる。この時、ホルダー６００の終端は、ガイド部４００の外周面に突出した突部４２０と外部ハウジング５００の一端との間で移動可能である。すなわち、本発明とトランシーバー１０が結合する際に、ホルダー６００は一方に回転してアダプター１１と結合することができる。尚、ホルダー６００の終端は、突部４２０に係止するようになる。逆に、本発明とトランシーバー１０が分離される際に、ホルダー６００は、他方に回転してアダプター１１と分離することができる。尚、ホルダー６００の終端は、外部ハウジング５００の一端によって移動が防止される。すなわち、ホルダー６００の終端は、突部４２０と外部ハウジング５００の一端との間で移動またはスライディング可能である。
【００４８】
図５と図６は、本発明の一実施形態に係るコネクターのアダプター１１とホルダー６００が結合する形態を示した斜視図である。
【００４９】
図５を参照すると、本発明の一実施形態に係るコネクターでは、アダプター１１とホルダー６００がネジ結合ではなく突部と溝を介して相互結合が可能である。例えば、トランシーバー１０のアダプター１１は、外周面に少なくとも一つ以上のアダプター締結突部１１ａを含んでもよい。尚、ホルダー６００は、内周面にアダプター締結突部１１ａと対応する少なくとも一つ以上のホルダー締結溝６２０を含んでもよい。すなわち、アダプター１１の外周面とホルダー６００の内周面が向かい合ってアダプター１１がホルダー６００に嵌め込まれるようになる。尚、アダプター締結突部１１ａが、ホルダー締結溝６２０に挿入されてスライディング可能である。
【００５０】
一方、図６を参照すると、本発明の一実施形態に係るコネクターでは、アダプター１１とホルダー６００がネジ結合ではなく突部と溝を介して相互結合が可能である。例えば、トランシーバー１０のアダプター１１は、外周面に少なくとも一つ以上のアダプター締結溝１１ｂを含んでもよい。尚、ホルダー６００は、内周面にアダプター締結溝１１ｂと対応する少なくとも一つ以上のホルダー締結突部６３０を含んでもよい。すなわち、アダプター１１の外周面とホルダー６００の内周面が向かい合って、アダプター１１がホルダー６００に嵌め込まれる。尚、アダプター締結溝１１ｂにホルダー締結突部６３０が挿入されてスライディング可能である。
【００５１】
ベース７００は、内部ハウジング３００に一部が収容されてもよい。ベース７００は、一側がラッチ解除部２００の連結部２３０と結合される。この時、ラッチ解除部２００の連結部２３０は、ベース７００の外面に沿って折り曲げられて段２３１を形成することができる。連結部２３０の他端が、ベース７００と結合して連動され得る。例えば、連結部２３０の内側面またはベース７００の外側面のうちいずれか一つに突部が形成されてもよい。尚、連結部２３０の内側面またはベース７００の外側面のうち他の一つに溝部が形成されて前記突部が前記溝部に挿入され得る。結局、連結部２３０とベース７００のうちいずれか一つが、コネクターとトランシーバー１０の結合または分離方向に動く際に、他の一つがそれに連動されて動くようになる。尚、コネクティング部１００から連結された電線または光ケーブル等が、ベース７００の内部を通過することができる。前記電線または光ケーブル等は、ケーブル９００まで電気的または光信号が伝達されるように連結される。この時、ベース７００は、コネクティング部１００と電気的または光信号が伝達されるように連結されるケーブル９００を囲んで保護することができる。ベース７００は、外周面とネジ結合してケーブル９００を保護するように締結ナット８００をさらに含んでもよい。
【００５２】
さらに、ベース７００は、外面一部と締結ナット８００の一端と外面の一部を包むストッパー７１０をさらに含んでもよい。ストッパー７１０は、内部ハウジング３００のスライディングを制限することができる。また、ベース７００は、外面一部に段７２０が突出形成されてもよい。すなわち、第２内部ハウジング３２０は、ベース７００の外面一部でスライディングするものの、第２内部ハウジング３２０の終端は段７２０とストッパー７１０との間で移動が可能である。
【００５３】
前記のような本発明の一実施形態に係るコネクターは次の通り使用される。
【００５４】
まず、本発明の一実施形態に係るコネクターをトランシーバー１０に結合するために、ユーザーはコネクターを把持してトランシーバー１０のアダプター１１に近く持っていった後挿入する。この時、ガイド部４００の外周面とアダプター１１の内周面は互いに接するようになる。尚、ガイド部４００が、アダプター１１に沿って結合方向にスライディングするようになる。尚、コネクティング部１００は、トランシーバー１０のポート（図示せず）に結合される。また、コネクティング部１００は、一部にラッチ１１０が延長形成されているが、コネクティング部１００が、前記ポートに結合しながらラッチ１１０がポート（図示せず）に結合する。つまり、ラッチ１１０は、コネクターとトランシーバー１０の結合方向に垂直にラッチ締結突部１１１が突出形成されている。前記ポートにはラッチ締結突部１１１と対応する締結溝（図示せず）が陥没形成される。ラッチ締結突部１１１が、前記締結溝に挿入されながらコネクティング部１００は前記ポートに結合される。
【００５５】
次に、ホルダー６００を一方、すなわちロック方向に回転させるとホルダー６００は、アダプター１１に結合される。つまり、ホルダー６００は、内周面に、アダプター１１は、外周面に互いに各々対応するネジ山（符号付けず）が形成されてネジ結合する。この時、ユーザーは、ホルダー６００の外周面に形成されたすべり防止部６１０によってすべることなくホルダー６００をアダプター１１に結合させることができる。一方、アダプター１１の外周面とホルダー６００の内周面には、各々アダプター締結突部１１ａとホルダー締結溝６２０が形成されて結合することができる。また、アダプター１１の外周面とホルダー６００の内周面には、各々アダプター締結溝１１ｂとホルダー締結突部６３０が形成されて結合することができる。
【００５６】
ホルダー６００がロック方向に回転するにつれ、ホルダー６００の終端が係止されている突部４２０を引くようになる。尚、突部４２０が突出したガイド部４００も結合方向に移動する。尚、ユーザーは、外部ハウジング５００に形成されたすべり防止部５２０を取って結合方向に加圧する。この時、ガイド部４００の終端外周面には、第１ギア歯４１０が形成されていて、外部ハウジング５００の内周面には、第１ギア歯４１０と対応する第２ギア歯５１０が形成されている。従って、第１及び第２ギア歯４１０、５１０が互いに噛み合うようになり、本発明はトランシーバー１０から分離防止が強化される。
【００５７】
外部ハウジング５００が結合方向に加圧されながら、外部ハウジング５００の内周面に形成された段５３０に支持される内部ハウジング３００も結合方向に加圧される。すなわち、内部ハウジング３００は外周面がガイド部４００の内周面と接する。尚、内部ハウジング３００は、第１及び第２内部ハウジング３１０、３２０を含む。そして、第２内部ハウジング３２０の終端が段５３０に係止されて支持される。従って、内部ハウジング３００は、外部ハウジング５００と連動される。これと共に、第１内部ハウジング３１０は、第２内部ハウジング３２０と互いに連動されるので、第１内部ハウジング３１０も結合方向に加圧される。
【００５８】
第１内部ハウジング３１０は、押付部３１１が形成される。押付部３１１は、第１内部ハウジング３１０の一端に内側に突出した第２突部３１２と、第２突部３１２と続いて形成された第２陥没部３１３を含む。押付部３１１は、第２陥没部３１３と続いて内側に突出した第３突部３１４をさらに含む。尚、ラッチ解除部２００は、第１及び第２ラッチ解除部２１０、２２０と連結部２３０を含む。第２ラッチ解除部２２０は、係止部２２１と、第２突部３１２と対応する第１陥没部２２２及び第２陥没部３１３と対応する第１突部２２３が形成されている。また、第１ラッチ解除部２１０の一端は、コネクティング部１００と連動されるように結合される。第１ラッチ解除部２１０の他端は、連結部２３０と延びる。連結部２３０の一端は、第１ラッチ解除部２１０の他端で延びて、第２ラッチ解除部２２０を連結する。連結部２３０は、ベース７００の外面に沿って折り曲げられて段３２１が形成される。連結部２３０の他端は、ベース７００の外面と連動するように結合される。
【００５９】
従って、内部ハウジング３００が結合方向に加圧される時、第１内部ハウジング３１０は、係止部２２１と第２ラッチ解除部２２０を加圧する。尚、第２内部ハウジング３２０の終端が、ベース７００に形成された段７２０を結合方向に押すようになってベース７００も結合方向に加圧される。そして、ベース７００がコネクティング部１００を加圧しながら第１ラッチ解除部２１０及び連結部２３０も結合方向に加圧される。これによって、コネクティング部１００に延長形成されたラッチ１１０のラッチ締結突部１１１は、トランシーバー１０のポート（図示せず）に形成された締結溝（図示せず）に挿入されることによって結合が完成される。
【００６０】
もしユーザーが外部ハウジング５００を分離方向に引っ張ってガイド部４００を引っ張っても、ホルダー６００とアダプター１１がネジ結合されているので、コネクターとトランシーバー１０は互いに分離が防止される。
【００６１】
以下、本発明の一実施形態に係るコネクターをトランシーバー１０から分離する方法を説明する。
【００６２】
まず、ユーザーはホルダー６００を他方、すなわち、外す方向に回転させる。ガイド部４００の外面には、突部４２０が形成されている。尚、外部ハウジング５００がガイド部４００と結合されている。また、ホルダー６００の終端は、突部４２０と外部ハウジング５００との間で移動可能に位置する。
【００６３】
次に、ユーザーが外部ハウジング５００を分離方向に引っ張ると、第１ギア歯４１０と第２ギア歯５１０が噛み合っているので、ガイド部４００は分離方向に移動する。この時、ガイド部４００の突部４２０によってホルダー６００の終端も分離方向に移動する。そして、ホルダー６００の終端は、突部４２０と外部ハウジング５００との間に形成された余裕空間で移動可能である。
【００６４】
ガイド部４００が分離方向に移動しながら、ガイド部４００の終端に位置した内部ハウジング３００の段３２１を押すことになる。従って、第２内部ハウジング３２１も分離方向に移動する。この時、第２内部ハウジング３２０の終端は、ベース７００の外周面上で段７２０とケーブル９００を囲んだストッパー７１０の間で移動が可能である。参考として、ケーブル９００を保護するために、締結ナット８００がベース７００の外面にネジ結合する。そして、ストッパー７１０は、ベース７００の一部と締結ナット８００の一部を包む。また、ストッパー７１０は、第２内部ハウジング３２０の終端の移動を制限する。
【００６５】
第２内部ハウジング３２０は、第１内部ハウジング３１０と連動されるので、第１内部ハウジング３１０も分離方向に移動する。この時、第１内部ハウジング３１０の第２突部３１２が分離方向に移動する。そして、第２突部３１２がラッチ解除部２００の第１突部２２３をコネクティング部１００側に加圧する。これにより、係止部２２１は、ラッチ１１０をコネクティング部１００側に加圧する。尚、ラッチ１１０に形成されたラッチ締結突部１１１は、前記ポート（図示せず）の締結溝（図示せず）から離脱する。従って、本発明の一実施形態に係るコネクターをトランシーバー１０から分離が可能である。参考として、内部ハウジング３００が分離方向に移動しても、ラッチ１１０が加圧されてラッチ締結突部１１１が前記締結溝から離脱しない限り、コネクティング部１００とラッチ１１０、ベース７００及びラッチ解除部２００が互いに連動されるので、コネクティング部１００とベース７００は、内部ハウジング３００に沿って移動しない。
【００６６】
以上、説明したことは、本発明に係るコネクターを実施するための実施形態に過ぎないものであり、本発明は、前記の実施形態に限定されず、以下特許請求範囲で請求する本発明の要旨を逸脱せず本発明が属する技術分野で通常の知識を有する者ならば、誰でも多様に変更して実施可能な範囲まで本発明の技術的精神があると言える。
【符号の説明】
【００６７】
１０        トランシーバー
１１        アダプター
１１ａ      アダプター締結突部
１１ｂ      アダプター締結溝
１００      コネクティング部
１１０      ラッチ
１１１      ラッチ締結突部
２００      ラッチ解除部
２１０      第１ラッチ解除部
２２０      第２ラッチ解除部
２２１      係止部
２２２      第１陥没部
２２３      第１突部
２３０      連結部
２３１      段
３００      内部ハウジング
３１０      第１内部ハウジング
３１１      押付部
３１２      第２突部
３１３      第２陥没部
３１４      第３突部
３２０      第２内部ハウジング
３２１      段
４００      ガイド部
４１０      第１ギア歯
４２０      突部
５００      外部ハウジング
５１０      第２ギア歯
５２０      すべり防止部
５３０      段
６００      ホルダー
６１０      すべり防止部
６２０      ホルダー締結溝
６３０      ホルダー締結突部
７００      ベース
７１０      ストッパー
７２０      段
８００      締結ナット
９００      ケーブル
【図１】
2017027932.tif 000003
【図２】
2017027932.tif 000004
【図３】
2017027932.tif 000005
【図４】
2017027932.tif 000006
【図５】
2017027932.tif 000007
【図６】
2017027932.tif 000008